(57)【要約】【課題】  圧板を付け忘れた状態で、通常の原稿をコピーした場合に、原稿外の領域を黒く印刷することによる無駄なインクの消費を抑えることができる複写機、複写機の制御方法およびプログラムを提供することを目的とする。【解決手段】  圧板が取り付けられている状態では隠れる部分に特定パターンを設け、コピー実行時に、上記特定パターンを読むことができれば、圧板が正常に取り付けられていないと判断し、コピー動作を中止し、圧板が取り付けられていないことを警告する複写機である。【選択図】  図１
2006340254.tif 000002
【特許請求の範囲】
【請求項１】
読み取り面に置かれている原稿を読み取る原稿読み取り手段と；
透過原稿を読み取る透過原稿読み取り手段と；
透過原稿読み取り装置を保護する圧板の脱着を検知する圧板脱着検知手段と；
読み取った画像を印刷する印刷手段と；
上記圧板が取り付けられていないことを、上記圧板脱着検知手段が検知すると、コピー動作を中止し、圧板がついていないことを警告する制御手段と；
を有することを特徴とする複写機。
【請求項２】
請求項１において、
上記圧板脱着検知手段は、上記圧板が取り付けられている状態では隠れる部分に存在している特定パターンを読み込むことによって、上記圧板が取り付けられていることを検知する手段であることを特徴とする複写機。
【請求項３】
請求項１において、
上記特定パターンは、原稿読み取り開始位置の近くに存在し、また、読み取ることができる最大サイズの用紙を原稿台に置いた場合にのみ、隠れる位置に存在しているパターンであることを特徴とする複写機。
【請求項４】
請求項１において、
原稿がＡＤＦに置かれてコピーを実行する場合、上記圧板が付いていない状態であっても、コピー動作を中止せずに実行することを特徴とする複写機。
【請求項５】
読み取り面に置かれている原稿を読み取る原稿読み取り工程と；
透過原稿を読み取る透過原稿読み取り工程と；
透過原稿読み取り装置を保護する圧板の脱着を検知する圧板脱着検知工程と；
読み取った画像を印刷する印刷工程と；
上記圧板が取り付けられていないことを、上記圧板脱着検知工程で検知すると、コピー動作を中止し、圧板がついていないことを警告する制御工程と；
を有することを特徴とする複写機の制御方法。
【請求項６】
請求項５において、
上記圧板脱着検知工程は、上記圧板が取り付けられている状態では隠れる部分に存在している特定パターンを読み込むことによって、上記圧板が取り付けられていることを検知する工程であることを特徴とする複写機の制御方法。
【請求項７】
請求項５において、
上記特定パターンは、原稿読み取り開始位置の近くに存在し、また、読み取ることができる最大サイズの用紙を原稿台に置いた場合にのみ、隠れる位置に存在しているパターンであることを特徴とする複写機の制御方法。
【請求項８】
請求項５において、
原稿がＡＤＦに置かれてコピーを実行する場合、上記圧板が付いていない状態であっても、コピー動作を中止せずに実行することを特徴とする複写機の制御方法。
【請求項９】
読み取り面に置かれている原稿を読み取る原稿読み取り手順と；
透過原稿を読み取る透過原稿読み取り手順と；
透過原稿読み取り装置を保護する圧板の脱着を検知する圧板脱着検知手順と；
読み取った画像を印刷する印刷手順と；
上記圧板が取り付けられていないことを、上記圧板脱着検知手順で検知すると、コピー動作を中止し、圧板がついていないことを警告する制御手順と；
を複写機に実行させるプログラム。
【発明の詳細な説明】
【技術分野】
【０００１】
本発明は、フィルムを読み取ることができ、しかも、通常の原稿をも読み取ることができる複写機に関する。
【背景技術】
【０００２】
複写機の画像読み取り装置を覆う原稿カバーを開けたまま、コピーすると、通常は白く印刷される原稿外の領域が、黒く印刷される。
【０００３】
原稿外の領域を識別することによって、原稿カバーを開けたままコピーした場合、原稿外の領域が上記黒く印刷されることを阻止する装置が知られている（特許文献１、２参照）。
【特許文献１】特開平５−３４７６９７号公報
【特許文献２】特開２００１−１５７０１８号公報
【発明の開示】
【発明が解決しようとする課題】
【０００４】
しかし、上記従来例では、原稿外の領域を完全に区別することができない。また、上記従来例では、原稿カバーが閉じられていても、原稿外の領域を黒く印刷することがあるという問題がある。
【０００５】
さらに、原稿読み取り装置の原稿カバーに設けられている圧板を外すことによってフィルムを読み取る複写機において、フィルムを読み取り後に、圧板を付け忘れた状態で、通常の原稿をコピーする場合があり、この場合、原稿カバーを開けたままでコピーするときと同様に、原稿外の領域が黒く印刷され、インクを無駄に消費するという問題がある。
【０００６】
圧板を付け忘れた状態で、通常の原稿をコピーした場合、圧板が正常に取り付けられていれば、原稿外領域が黒く印刷されない。
【０００７】
本発明は、圧板を付け忘れた状態で、通常の原稿をコピーした場合に、原稿外の領域を黒く印刷することによる無駄なインクの消費を抑えることができる複写機、複写機の制御方法およびプログラムを提供することを目的とする。
【課題を解決するための手段】
【０００８】
本発明は、圧板が取り付けられている状態では隠れる部分に特定パターンを設け、コピー実行時に、上記特定パターンを読むことができれば、圧板が正常に取り付けられていないと判断し、コピー動作を中止し、圧板が取り付けられていないことを警告する複写機である。
【発明の効果】
【０００９】
本発明によれば、圧板を付け忘れた状態で、通常の原稿をコピーしようとした場合、コピー動作を中止し、圧板が正常に取り付けられていないことを警告するので、原稿外の領域を黒く印刷することによる無駄なインクの消費を抑えることができるという効果を奏する。
【発明を実施するための最良の形態】
【００１０】
発明を実施するための最良の形態は次の実施例である。
【実施例１】
【００１１】
図１は、本発明の実施例１である複写機Ｃ１を示すブロック図である。
【００１２】
複写機Ｃ１は、圧板を取り外すことによって、透過原稿を読み取ることができる複写機であり、印刷制御部１０と、印刷機構部２０と、主電源部３０と、原稿読取部４０と、操作表示部５０とを有する。
【００１３】
印刷制御部１０は、ＣＰＵ１１と、ＲＯＭ１２と、ＲＡＭ１３と、ＥＥＰＲＯＭ１４と、ＡＳＩＣ制御回路１５とを有する。
【００１４】
ＣＰＵ１１は、各種演算・データ処理と、印刷装置全体の制御とを行う。ＲＯＭ１２は、ＣＰＵ１１等が実行する各種制御プログラム等を記憶し、また、各種データ処理のためのルーチン等を記憶する。ＲＡＭ１３は、各種データを記憶するものであり、つまり、受信バッファ、出力バッファ、ワークメモリ等として利用される。
【００１５】
ＡＳＩＣ制御回路１５は、多数のレジスタや論理回路を形成し、各モータドライバの制御部の他、ヘッドパルス生成部等として機能する。
【００１６】
印刷機構部２０は、キャリッジ機構部２１と、紙送り機構部２２とを有する。
【００１７】
キャリッジ機構部２１は、印字ヘッドを搭載するキャリッジと、このキャリッジを走行させるキャリッジモータ等を有し、印字ヘッドを主走査させる。
【００１８】
紙送り機構部２２は、ＰＦモータと紙送りローラ等を有し、記録紙等の印刷記憶媒体を順次送り出し、副走査を行う。
【００１９】
複写機Ｃ１の特徴は、圧板が取り付けられていないことを検知した場合、圧板が取り付けられていないことを警告し、コピー動作を中止する点である。
【００２０】
つまり、原稿読取部４０は、読み取り面に置かれている原稿を読み取る原稿読み取り手段の例であり、透過原稿を読み取る透過原稿読み取り手段の例である。
【００２１】
また、図示しない圧板脱着検知手段が設けられ、この圧板脱着検知手段は、透過原稿読み取り装置を保護する圧板の脱着を検知する手段であり、特定パターンを読み込むことによって、上記圧板が取り付けられていることを検知する手段である。なお、上記特定パターンは、上記圧板が取り付けられている状態では隠れる部分に存在している。
【００２２】
印刷機構部２０は、読み取った画像を印刷する印刷手段の例である。
【００２３】
ＣＰＵ１１とＲＯＭ１２とは、上記圧板が取り付けられていないことを、上記圧板脱着検知手段が検知すると、コピー動作を中止し、圧板がついていないことを警告する制御手段の例である。
【００２４】
図２は、複写機Ｃ１の動作を示すフローチャートである。
【００２５】
まず、ユーザがコピー動作を実行すると（Ｓ１）、特定パターンが存在している位置を読み取りに行く（Ｓ２）。特定パターンを読み取ることができれば、圧板が取り付けられていない状態であると判断できるので、圧板が取り付けられていないことを、操作表示部５０において警告し（Ｓ３）、コピー動作を中止する（Ｓ４）。Ｓ２において、特定パターンを読み取ることができなければ、圧板が取り付けられている状態であると判断できるので、通常のコピー処理を行う（Ｓ５）。
【００２６】
また、ＡＤＦを使用してコピー動作を実行する場合、特殊パターンの有無を判断せずに（Ｓ２）、通常コピー（Ｓ５）を実行する。つまり、原稿がＡＤＦに置かれてコピーを実行する場合、上記圧板が付いていない状態であっても、コピー動作を中止せずに実行する。
【００２７】
図３は、実施例１において、原稿カバーに、圧板が取り付けられている状態を示す図である。
【００２８】
図４は、実施例１において、原稿カバーから圧板が取り外された状態を示す図である。
【００２９】
図５は、実施例１において、圧板が取り付けられている状態では隠れる位置に設けられている特定パターンＰ１の例を示す図である。
【００３０】
特定パターンＰ１は、原稿読み取り開始位置の近くに存在し、また、読み取取ることができる最大サイズの用紙を原稿台に置いた場合にのみ、隠れる位置に存在している。したがって、コピーが実行された場合、読み取り開始位置から少量を読み取ることによって、圧板が取り付けられているかどうかを判断することができる。
【００３１】
特定パターンＰ１は、バーコード、ＱＲコード等のパターンである。
【００３２】
実施例１によれば、圧板を付け忘れた状態で、通常の原稿をコピーしようとした場合、コピー動作を中止し、圧板が正常に取り付けられていないことを警告するので、原稿外の領域を黒く印刷することによる無駄なインクの消費を抑えることができる。
【００３３】
また、上記実施例をプログラムの発明として把握することができ、上記実施例は、読み取り面に置かれている原稿を読み取る原稿読み取り手順と、透過原稿を読み取る透過原稿読み取り手順と、透過原稿読み取り装置を保護する圧板の脱着を検知する圧板脱着検知手順と、読み取った画像を印刷する印刷手順と、上記圧板が取り付けられていないことを、上記圧板脱着検知手順で検知すると、コピー動作を中止し、圧板がついていないことを警告する制御手順とを複写機に実行させるプログラムの例である。
【図面の簡単な説明】
【００３４】
【図１】本発明の実施例１である複写機Ｃ１を示すブロック図である。
【図２】複写機Ｃ１の動作を示すフローチャートである。
【図３】実施例１において、原稿カバーに、圧板が取り付けられている状態を示す図である。
【図４】実施例１において、原稿カバーから圧板が取り外された状態を示す図である。
【図５】実施例１において、圧板が取り付けられている状態では隠れる位置に設けられている特定パターンＰ１の例を示す図である。
【符号の説明】
【００３５】
１０…印刷制御部、
１１…ＣＰＵ、
１２…ＲＯＭ、
１３…ＲＡＭ、
１４…ＥＥＰＲＯＭ、
１５…ＡＳＩＣ制御回路、
２０…印刷機構部、
２１…キャリッジ機構部、
２２…紙送り機構部、
３０…主電源部、
４０…原稿読取部、
５０…操作表示部、
Ｐ１…特定パターン。
【図１】
2006340254.tif 000003
【図２】
2006340254.tif 000004
【図３】
2006340254.tif 000005
【図４】
2006340254.tif 000006
【図５】
2006340254.tif 000007